(57)【要約】【課題】  施工が容易で、かつ安全性や意匠性に優れた壁暖房パネルを提供する。【解決手段】  一方の面に刻設された溝に熱媒を流通させるための配管が埋設された発泡合成樹脂製又は木製の基材マットの、前記溝が刻設された面に、少なくとも金属薄板を有する表装材層が設けられていることを特徴とする、壁暖房パネルとする。【選択図】      図１
2006234341.tif 000002
【特許請求の範囲】
【請求項１】
一方の面に刻設された溝に熱媒を流通させるための配管が埋設された発泡合成樹脂製又は木製の基材マットの、前記溝が刻設された面に、少なくとも金属薄板を有する表装材層が設けられていることを特徴とする、壁暖房パネル。
【請求項２】
前記表装材層は、更に、木製板、金属板、タイル、石板、樹脂シート、および樹脂シートの片面あるいは両面に金属板が接合された複合板から選択される、最外層である表面材層を有するものであることを特徴とする請求項１に記載の壁暖房パネル。
【請求項３】
前記基材マットの側面部が、木製板、金属板、タイル、石板、樹脂シート、および樹脂シートの片面あるいは両面に金属板が接合された複合板から選択される側部表面材で覆われていることを特徴とする請求項１又は２に記載の壁暖房パネル。
【請求項４】
壁面に設けられた係止具に、前記壁暖房パネル側に設けられた受け具が係止されてなる、請求項１〜３のいずれか１項に記載の壁暖房パネル。
【請求項５】
前記壁暖房パネル側に設けられた前記受け具が、前記壁暖房パネルの側面および／又は壁面に当接する面に設けられていることを特徴とする、請求項１〜４のいずれか１項に記載の壁暖房パネル。
【発明の詳細な説明】
【技術分野】
【０００１】
本発明は、部屋の壁面に設置される壁暖房パネルに関する。
【背景技術】
【０００２】
一般住宅、集合住宅、ホテル、病院、高齢者養護施設などの建造物において、居住性を高める目的で、床面から暖房する床暖房設備が一般的になりつつある。トイレ、脱衣場、玄関などの比較的狭くて短時間のみ人が存在するような部屋には、床暖房設備と同様に輻射熱を利用して暖房する、壁面に取り付けられたラジエーターパネルのような壁暖房設備がしばしば用いられる。壁暖房設備は、床暖房設備と比べて、体全体に輻射熱を当てることができるため快適感に優れること、常には人体と接触しないため設定温度を高めにでき、効率的に暖房できること、基材マットが床暖房設備よりも強度を必要としないため、断熱性およびコストを考慮した材料選定が可能であること、等の優れた利点を有している。
【発明の開示】
【発明が解決しようとする課題】
【０００３】
しかしながら、従来の鉄製のラジエーターパネルのような壁暖房装置においては、パネルが厚くて重いため壁面に設置する際の施工が困難ということ、壁面への伝熱による壁面損傷を避けるために壁暖房装置と壁面の間にある程度の間隔を設ける必要があるので居住空間が狭くなるということ、配管が剥き出しになっているため安全性や意匠性に劣ること等の問題があった。
【０００４】
そこで、本発明は、施工が容易で、かつ安全性や意匠性にも優れた壁暖房パネルを提供することを目的とする。
【課題を解決するための手段】
【０００５】
本発明者らは鋭意検討した結果、軽量かつ断熱性に優れた発泡合成樹脂製又は木製の基材マット表面に、意匠性に優れた表装材層を設けることで、上記課題を解決できることを見出し、本発明を完成するに至った。
【０００６】
以下、本発明について説明する。なお、本発明の理解を容易にするために添付図面の参照符号を括弧書きにて付記するが、それにより本発明が図示の形態に限定されるものではない。
【０００７】
本発明の第一の態様は、一方の面に刻設された溝（５）に熱媒を流通させるための配管（６）が埋設された発泡合成樹脂製又は木製の基材マット（１）の、前記溝（５）が刻設された面に、少なくとも金属薄板（２）を有する表装材層（４）が設けられていることを特徴とする、壁暖房パネル（１０）を提供して前記課題を解決する。
【０００８】
この発明によれば、施工が容易で、かつ安全性や意匠性にも優れた壁暖房パネル（１０）を提供することができる。
【０００９】
また、この態様において、表装材層（４）は、更に、木製板、金属板、タイル、石板、樹脂シート、および樹脂シートの片面あるいは両面に金属板が接合された複合板から選択される、最外層である表面材層（３）を有するものであることが好ましく、更に、前記基材マット（１）の側面部が、木製板、金属板、タイル、石板、樹脂シート、および樹脂シートの片面あるいは両面に金属板が接合された複合板から選択される側部表面材（７）で覆われていることが好ましい。このようにすることによって、より意匠性に優れた壁暖房パネル（１０、２０、３０、４０）とすることができる。
【００１０】
また、この態様において、壁暖房パネル（１０、２０、３０、４０）は、壁面に設けられた係止具に、前記壁暖房パネル側に設けられた受け具（８）が係止されてなるものであることが好ましく、更に、前記受け具（８）は、前記壁暖房パネル（１０、２０、３０、４００）の側面および／又は壁面に当接する面に設けられていることが好ましい。このようにすることによって、容易に壁に着脱可能な壁暖房パネル（１０、２０、３０、４０）とすることができる。
【発明の効果】
【００１１】
本発明の壁暖房パネルの基材マットは、断熱性が良く軽量な発泡合成樹脂基材でできているため、壁暖房パネルを薄く、軽量にすることができる。そのため、施工が容易であり、係止具等によって簡単に壁に着脱可能である。また、表装材層を有しているため、意匠性や安全性にも優れている。
【００１２】
本発明のこのような作用および利得は、次に説明する発明を実施するための最良の形態から明らかにされる。
【発明を実施するための最良の形態】
【００１３】
以下本発明を図面に示す実施形態に基づき説明する。図１は、本発明の壁暖房パネル１０の断面概略図である。本発明の暖房パネル１０は、基材マット１に、表装材層４が積層されてなるものである。
【００１４】
基材マット１は、木製又は発泡合成樹脂製である。断熱性に優れ、軽量であるこれらを基材として使用することで、基材マット１を薄くすることができ、ひいては壁暖房パネル１０を薄型化、軽量化することができる。発泡合成樹脂としては、ポリウレタン発泡体、ポリエチレン発泡体、ポリプロピレン発泡体、ポリスチレン発泡体、ポリ塩化ビニル発泡体、ポリメチルメタクリルレート発泡体、ポリカーボネート発泡体、ポリフェニレンオキサイド発泡体、ポリスチレンとポリエチレン混合物の発泡体などが好適である。中でも、コスト、加工性の点からは、ポリエチレン発泡体、ポリプロピレン発泡体、ポリスチレン発泡体が好ましい。基材マット１は、熱媒として発熱電線を使用する場合には、耐熱温度の点から木製が好ましく、温水を使用する場合には断熱性の点から発泡合成樹脂製が好ましい。
【００１５】
基材マット１には、上面に溝５が刻設され、そこに、温水や発熱電線等の熱媒を流通させるための配管６が埋設されている。溝５の開口部の幅は、配管６の外径と同じ寸法か、又はこれより僅かに大きくするのが好ましい。溝５の形状は、通常、延在する方向に直角に切断した断面がＵ字又はコの字状であり、配管６から表装材層４への伝熱性や、配管６を埋設する際の施工性の観点からは、好ましくはＵ字状である。溝５の深さは、伝熱性の観点から配管６の外径と同じ寸法とするのが好ましい。
【００１６】
溝５に埋設される配管６は、熱媒が温水の場合には、通常、可撓性チューブが使用され、具体的には架橋ポリエチレン管、ポリブテン管、銅管などが挙げられる。その直径は、設置場所や構造などの条件によって様々であるが、通常外径７．２ｍｍ、内径５ｍｍ程度の管が一般的である。
【００１７】
表装材層４は、少なくとも金属薄板２を有する多層構造の層である。金属薄板２は、基材マット１に埋設された配管６内を流通する熱媒の熱を、表装材層４の表面へ伝熱させる機能を有するものであり、アルミニウム箔、錫箔、ステンレススチール箔、銅箔などが用いられるが、中でも、製造の容易性、コストなどの観点からアルミニウム箔が好ましい。その厚さは、薄すぎると強度が不十分になり、逆に厚すぎると壁暖房パネル１０が重くなる上にコストもかかることから、通常２〜２００μｍの範囲のものが使用される。金属薄板２が熱媒の熱を表装材層４の表面へ効率よく伝熱させるためには、好ましくは、金属薄板２は、表装材層４中の最下層、すなわち基材マット１と接する面に位置するのが好ましい。
【００１８】
金属薄板２以外の表装材層４を構成する他の代表的な層としては、表面材層３が挙げられる。表面材層３は、壁暖房パネル１０の最外層となって、基材マット１を保護したり、壁暖房パネル１０表面に意匠性を付与したりする機能を有するものであり、木製板、金属板、タイル、石板、樹脂シート、および樹脂シートの片面あるいは両面に金属板が接合された複合板などが使用される。意匠性付与を目的として、タイル調、石目調、木目調等の模様が施されていてもよい。また、表面材層３が伝熱性に優れた金属板を含む場合には、それが金属薄板２の役割を兼ねてもよい。表装材層４の基材マット１０への固定は、ビスや釘、接着剤などの通常の固定手段によって行うことができ、複数の手段を併用してもよい。
【００１９】
基材マット１の側面は、図２の（ａ）〜（ｃ）ように、側面表面材層７で覆われていることが好ましい。このようにすることによって、壁暖房パネル２０、３０、４０の積層断面を保護し、耐久性を高めるだけでなく、意匠性を付与することもできる。側面表面材層７は、表面材層３として例示した材質のものと同様のものを使用することができ、図２（ａ）のように、表面材層３が壁暖房パネル２０面端部で放熱パネル側に折り曲げられ、表面材層３がそのまま側面表面材層７となったものでもよいし、図２（ｂ）や図２（ｃ）のように、表面材層３とは別個に設けられた部材であってもよい。更に、側面表面材３０は、図２（ａ）や図２（ｃ）のように、側面表面材層７が放熱パネル２０、４０裏面に折り込まれて固定されるようにすると、側面表面材層７が剥離しにくくなるため好ましい。
【００２０】
上記のような構成の壁暖房パネル１０、２０、３０、４０の壁面への取り付けは、係止具によって行うと着脱が容易であるため好ましい。係止具は、壁面と壁暖房パネル１０、２０、３０、４０のどちらか一方に取り付けられ、他方に受け具が取り付けられる。係止具は好ましくは壁面側に取り付けられ、係止具としては、例えば、フックや、壁面に途中までねじ込んでビス頭部で係止可能にしたようなビス等が使用される。
【００２１】
係止具が壁面に取り付けられたビスやフックの場合、壁暖房パネル１０、２０、３０、４０には、壁面の係止具によって係止可能な受け具が設けられる。受け具は、例えば係止可能な形状に開けられた孔や、受け具を掛けることのできるリング状の部材等である。受け具は、壁暖房パネル１０、２０、３０、４０の側面および／又は裏面に設けられる。
【００２２】
図３は、図２（ａ）の壁暖房パネル２０の裏面概略図である。図３においては、受け具は、基材マット２０裏面に折り曲げられて固定されている側部表面材７上から基材マット１内部にかけて開けられた、係止具を係止できる形状の孔８である。図２（ａ）や、図２（ｃ）のように、側部表面材７が基材マット１裏面に折り曲げられている場合には、このように側部表面材７上に受け具又は係止具を設けると、受け具又は係止具が設けられた部分の基材マット１が重みで破損するのを防止することができるので好ましい。同様に、壁暖房パネルの側面に受け具又は係止具を設ける場合、図１の壁暖房パネル１０の基材マット１側面のように、側部表面材７がない基材マット１側面に直接受け具又は係止具を設けてもよいが、図２（ａ）〜図２（ｃ）のように側部表面材７を設け、その上から受け具又は係止具を設けると、受け具又は係止具が設けられた部分の基材マット２０、３０、４０が破損するのを防止することができるので好ましい。
【００２３】
以上、現時点において、最も、実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う壁暖房パネルもまた本発明の技術的範囲に包含されるものとして理解されなければならない。
【図面の簡単な説明】
【００２４】
【図１】本発明の壁暖房パネル１０の断面概略図である。
【図２】本発明の他の形態である壁暖房パネル２０、３０、４０の断面概略図である。
【図３】壁暖房パネル２０裏面の概略図である。
【符号の説明】
【００２５】
１  基材マット
２  金属薄板
３  表面材
４  表装材層
５  溝
６  配管
７  側部表面材
８  孔
１０、２０、３０、４０  壁暖房パネル
【図１】
2006234341.tif 000003
【図２】
2006234341.tif 000004
【図３】
2006234341.tif 000005